(57)【要約】オンライン個人資金調達マーケットを介して売り手に個人資金調達機会を提供するための方法は、資金調達する複数の要求を売り手のデータベースに登録するステップであって、各要求は特定の売り手および資金調達要求に対する理由に関連付けられるステップ（Ｓ２Ｆ１）と、各売り手において各要求を少なくとも１つのシェアに分割するステップであって、各シェアは購入価格および該シェアの所有者に対する経済的還付に関連付けられ、該経済的還付は各売り手の潜在的な将来収入の割合を含み、購入価格はシェアの最初の売りの際の資金調達要求の代表的な量を含むステップと、複数の投資家を投資家データベースに登録するステップであって、各登録は投資家の助言能力に関連する情報を含むステップ（Ｓ２Ｅ１）と、投資家によってシェアの所有者に購入価格を申し出るステップであって、申し出は購入価格および投資家の助言能力を含むステップとを含む。【選択図】図２
2004536375.tif 000002
【特許請求の範囲】
【請求項１】
投資家によって個人への資金調達を提供するための方法であって、
該個人におけるシェアに対する費用について資金調達するための要求を投資家に通信するステップと、
資金調達するための該要求を、該個人におけるシェアのための費用に関連付けるステップであって、該シェアの購入は、該売り手の収入の割合を含む経済的な還付を受け取る、ステップと、
売りのために該シェアを申し出るステップと、
購入価格で購入者によって該シェアを購入するステップと、
を包含する、方法。
【請求項２】
売りのために前記シェアを申し出るステップは、該シェアをオークションにかけるステップを包含し、該シェアを購入するステップは、最高購入価格を提示するステップを包含する包含する、請求項１に記載の方法。
【請求項３】
前記最高購入価格は、少なくとも前記シェアの費用に等しい金銭量を含む、請求項２に記載の方法。
【請求項４】
前記購入価格は、前記シェアのコストおよび前記購入者の助言能力を含む、請求項１に記載の方法。
【請求項５】
前記個人の収入は、個人の潜在的な将来収入を含む、請求項１に記載の方法。
【請求項６】
前記割合は、可変である、請求項１に記載の方法。
【請求項７】
前記割合は、約０を含む、請求項１に記載の方法。
【請求項８】
前記資金調達要求は、大学授業料、ビジネス形成、および／またはアイデアの開発のうち少なくとも１つを含む、請求項１に記載の方法。
【請求項９】
前記資金調達要求は、複数のシェアに関連付けられ、各該シェアは、資金調達の一部および前記個人の潜在的な将来収入の割合の一部に関連付けられる、請求項１に記載の資金調達を提供するための方法。
【請求項１０】
前記資金調達要求は、複数のシェアに関連付けられ、各該シェアは、資金調達の同等部分および前記個人の潜在的な将来収入の前記割合の同等部分に関連付けられる、請求項１に記載の資金調達を提供するための方法。
【請求項１１】
前記割合は、０より大きく約５０未満である、請求項１に記載の方法。
【請求項１２】
前記割合は、０より大きく約２５未満である、請求項１に記載の方法。
【請求項１３】
前記割合は、０より大きく約１０未満である、請求項１に記載の方法。
【請求項１４】
前記購入は、複数の個人購入者を含む購入グループを含む、請求項１に記載の方法。
【請求項１５】
前記割合還付は、前記購入者とは別の第二の実体に向けられる、請求項１に記載の方法。
【請求項１６】
前記第二の実体は、慈善団体である、請求項１５に記載の方法。
【請求項１７】
前記第二の実体は、非営利組織である、請求項１５に記載の方法。
【請求項１８】
個人においてシェアを売買するための方法であって、
該シェアの所有者による第一の価格についてシェアの売りに対する申し出を個人に通信するステップであって、該シェアの所有権は、該個人の収入の割合を与える、ステップと、
少なくとも１人の購入者によって該シェアに関して少なくとも１つの入札を提示するステップであって、該入札は、第二の価格を含む、ステップと、
該第二の価格での該入札の受入を通信するステップであって、該シェアの所有権は、該購入者に移行される、ステップと
を包含する方法。
【請求項１９】
前記第二の価格は、前記第一の価格未満である、請求項１８に記載の方法。
【請求項２０】
前記第二の価格は、前記第一の価格に実質的に等しい、請求項１８に記載の方法。
【請求項２１】
前記第二の価格は、前記第一の価格よりも大きい、請求項１８に記載の方法。
【請求項２２】
前記シェア上に複数の入札を配置するステップをさらに包含する、請求項１８に記載の方法。
【請求項２３】
前記シェア上に複数の入札を配置するステップさらに包含し、各入札は、特定の購入者に関連付けられる、請求項１８に記載の方法。
【請求項２４】
前記複数の入札は、所定期間を通して配置される、請求項２２に記載の方法。
【請求項２５】
前記シェアは、最高の入札を配置する購入者に授与される、請求項２２に記載の方法。
【請求項２６】
前記複数の入札は、所定期間を通して配置される、請求項２３に記載の方法。
【請求項２７】
前記シェアは、最高の入札を配置する購入者に授与される、請求項２３に記載の方法。
【請求項２８】
前記最高の入札は、最高の申し出された価格および最大量の助言を有する入札を含む、請求項２２に記載の方法。
【請求項２９】
前記最高の入札は、最高の申し出された価格および最大の助言を有する入札を含む、請求項２３に記載の方法。
【請求項３０】
投資家によって個人に資金調達を提供するための方法を実行するための命令を含むコンピュータコードを含むコンピュータ読み出し可能な媒体であって、
個人のために資金調達するための要求を投資家に通信するステップと、
資金調達に対する該要求を、該個人におけるシェアのための費用に関連付けるステップであって、該シェアの購入者は、該売り手の収入の割合を含む経済的な還付を受け取る、ステップと、
売りのために該シェアを申し出るステップと、
購入価格で購入者によって該シェアを購入するステップであって、該購入者価格は、該シェアの費用を含む、ステップと
を含む、コンピュータ読み出し可能な媒体。
【請求項３１】
個人におけるシェアを売買するための方法を行うための命令を含むコンピュータコードを含むコンピュータ読み出し可能な媒体であって、
該シェアの所有者による第一の価格について個人におけるシェアの売りのための申し出を通信するステップであって、該シェアの所有権は、該個人の収入の割合を与える、ステップと、
少なくとも１人の購入者によって該シェアに関して少なくとも１つの入札を提示するステップであって、該入札は第二の価格を含む、ステップと、
該第二の価格で該入札の受入を通信するステップであって、該シェアの所有権は、該購入者に移行される、ステップと
を包含する、コンピュータ読み出し可能な媒体。
【請求項３２】
データを格納するための格納手段と、
個人におけるシェアを売買するための方法を実行するようにプログラムされたプロセッサであって、
個人のために資金調達するための要求を投資家に通信するステップと、
資金調達するための該要求を、個人におけるシェアための費用に関連付けるステップであって、該シェアの購入者は、該売り手の収入の割合を含む経済的な還付を受け取る、ステップと、
売りのために該シェアを申し出るステップと、
購入価格で購入者によって該シェアを購入するステップであって、該購入価格は、該シェアの費用を含む、ステップと
を含む、プロセッサと
を含むコンピュータシステム。
【請求項３３】
データを格納するための格納手段と、
投資家によって個人に資金調達を提供するための方法を行うようにプログラムされたプロセッサであって、
該シェアの所有者によって第一の価格について個人におけるシェアの売りのための申し出を通信するステップであって、該シェアの所有権は、該個人の収入の割合を与える、ステップと、
少なくとも１人の購入者によって該シェアに関して少なくとも１つの入札を提示するステップであって、該入札は、第二の価格を含む、ステップと、
該第二の価格での該入札の受入を通信するステップであって、該シェアの所有権は、該購入者に移行される、ステップと
を含む、プロセッサと
を含む、コンピュータシステム。
【請求項３４】
マーケットにおいてシェアを売るための方法であって、該シェアは、個人の将来の潜在的な収入における利益を含む、方法であって、
最小価格および助言能力について、購入用のシェアの利用可能性を投資家に通信するステップと、
少なくとも該最小価格で申し出るとともに最高の助言能力を申し出る投資家に該シェアを売るステップと
を包含する、方法。
【請求項３５】
売り手に個人資金調達機会を提供するための方法であって、
資本金に対する複数の要求をデータベースに登録するステップであって、該要求は、金銭量およびこのような要求に対する理由を含み、各要求は、特定の売り手に関連付けられる、ステップと、
各該要求を、該資本金を該売り手に提供する投資家への経済的な還付に関連付けるステップであって、該経済的な還付は、該売り手の収入の割合を含む、ステップと、
第一の投資家によって、第一の売り手に該それぞれの要求された資本金を提供するステップであって、該第一の投資家は、該第一の売り手に助言をさらに提供する、ステップと
を含む、方法。
【請求項３６】
個人の潜在的な将来資金調達収入における還付率と引き換えに個人資金調達を取得するための方法であって、
資金調達を提供するための複数の申し出をデータベースに登録するステップであって、各該申し出は、金銭量を含み、各申し出は、特定の投資家に関連付けられる、ステップと、
資金調達を求める個人によって該申し出上に入札するステップであって、入札は、該個人の個人的な将来収入の割合に対する申し出を含む、ステップと、
該資金調達を、潜在的な将来収入の最高の割合を入札する第一の個人に授与するステップと
を包含する、方法。
【発明の詳細な説明】
【技術分野】
【０００１】
（発明の背景）
（発明の分野）
本発明は、個人のための個人資金調達機会に関し、より詳細には、資本および案内を求める資金調達する個人のための方法および装置に関する。
【背景技術】
【０００２】
（従来技術の背景）
一般に、アイデアを展開し、または、目的を達成する場合には、２つの要素がある。すなわち、資本およびノウハウである。これは、含まれる参加者が法人または個人であろうと、真である。しかしながら、法人と異なって、大抵の個人は、アイデアを展開するための財源（または、財源を取得する能力）を欠く。さらに、個人が資本を取得することができる場合であっても、その個人は、通常、概念から完成までのアイデアを利用するための経験およびノウハウを欠く。
【０００３】
現在、政府、銀行、私的機関および非営利組織は、貸付金、助成金および奨学金の形態で個人が資本を取得するための手段を提供する。一般に、ビジネスおよび他のアイデアを展開する場合、個人は、貸付金を利用することによって資本を取得する。しかしながら、貸付金は、以下の欠点を受ける。
（１）固定された還付レート（ｒａｔｅ  ｏｆ  ｒｅｔｕｒｎ）
個人のビジネスまたはアイデアの結果がいかに良くても、還付は、貸付機関に対して同じままであり、一般に貸付／クレジットの市場によって規定される。
（２）固定された負債量
貸付金はまた、固定された負債量を個人に抱き合わせる。このことは、個人は、そのアイデアの成果によらず、何回にもわたって、または、特定の日付によってインターネットを用いて借金し直すので、しばしば、資金調達を求めることから個人を追い払う。
【０００４】
しかしながら、個人への資金にいかなる実体物が提供されようと、アイデアを実現、展開および完成させるための知識および案内のリソースを誰も個人に提供しない。したがって、個人は、成功を保証する点については自分で責任をとる。しばしば、成功と失敗との間の相違は、どの方向に進むか、誰に呼びかけるか、および何時かを知ることである。しかしながら、多くの個人は、この知識、ならびにかれらのアイデアに現実性を持たせるための個人／ビジネスネットワークを欠く。
【０００５】
したがって、適切なサポートおよび案内を欠くためにアイデアが失敗する多数の個人は、破産を宣告することを強いられる。このような事態を補償するために、貸付機関は、その金利を増加させ、これにより、個人が資金調達を取得することをより困難にしている。
【発明の開示】
【課題を解決するための手段】
【０００６】
（本発明の要旨）
本発明の目的は、人の潜在能力の開発および報奨のためのオンラインマーケットを提供することである。
【０００７】
本発明の別の目的は、財源を有する個人から最も潜在能力（特に投資土壌）を有する個人に向けて資金を流すことである。
【０００８】
本発明のさらに別の目的は、ネットワーキングおよび庇護者環境を作り出すことであり、資金調達のために申込者は寄与者および投資家にアイデアを売買する。投資家の場合には、アイデアが実現される場合での申込者の収入のある割合と引き換えとして資金調達し、また、寄与者の場合には、資金調達のある割合または倍数を返還する。
【０００９】
本発明のさらに別の目的は、申込者、投資家および寄与者の大型で多様なプールを送達すること、資金調達および申込者の割り当て共有の売買を促進し、申込者の将来的潜在能力収入の割合を購入するための投資家と申込者との間のパラメータを明確に通信するための必要な手順、同意および関連文書を提供することである。
【００１０】
本発明のさらに別の目的は、寄与者が無条件に資金供給するか、または引き換え条件なしに、要求された資金調達の割合（または全体の合計）を戻すことと引き換えに、または、寄付された金額の倍数で、申込者に要求された資金調達を与えることである。さらに、本発明は、金銭を寄付するパラメータを設定する寄与者を規定する。このようなパラメータは、以下を含み得る。
【００１１】
資金調達が教育を目的とする場合、申込者は、常時、特定グレードのポイント平均を維持するか、または、申込者は、特定の事由に対する対価を寄付する（例えば、チャリティに対する時間・週を寄付する）。
【００１２】
資金調達の要求がビジネスを目的とする場合、申込者は、特定の項目に対するビジネス上の利益の割合を保証する（例えば、利益の割合は、チャリティその他に寄付される）。
【００１３】
本発明は、上記関心および目的に注意を向け、個人の潜在能力とその潜在能力を発動するために必要とされる資金との間の分離に橋をわたす方法およびシステムを提供する。さらに、本発明は、投資家に対して潜在的により高い収益率を、寄与者に対して増加された成功の機会を提供する。
【００１４】
本発明の好適な実施形態では、個人的資金調達機会のためのマーケットがウェブサイトを介するインターネット（または他のコンピュータネットワーク）を通して案内される。このウェブサイトでは、資本（申込者）を要求する個人は、申込者データベースに要求を登録する。可能性のある投資家も、ウェブサイトを用いて、投資家のデータベースに登録し、アイデア、申込者の個人情報（職業、教育、年齢、場所その他を含む）を含む任意の基準に基づく投資機会のために申込者のデータベースの検索を行う。投資家が特定の資金調達要求に興味を持つ場合、本発明にしたがう方法およびシステムは、投資家が、申込者の潜在的な収入の割合（「シェア（ｓｈａｒｅ）」）と引き換えに要求された資金調達の一部／前部を提供することを可能にする。このようなシェアは、資金調達に対する要求がポスティングされた後の任意のポイントでのオンラインマーケットを介して売買され得る。
【００１５】
資金調達に加えて、投資家は、助言、案内、個人的なおよび他のネットワークをする機会／ソースの点で申込者に助言関係を提供する。このような助言関係は、申込者と投資家との間の個人的な関係を提供するだけでなく、成功の可能性を実質的に増加させる知識源を有する個人をも提供する。助言関係のこの「付加価値」的な局面が、本発明によって認識される。なぜなら、個人の成功を判断するためにこれが（経済面で）最も興味のあることであり、したがって、案内を提供することによって成功する申込者を助けるために、それが投資家にとって最も興味のあることであるからである。
【００１６】
一旦、助言者が、助言者が提示する必要があるもの全てを、案内によって申込者に与えると、助言者は、助言者ができる限りシェアの値を最も可能性があるように最大化する。その場合、助言者の利益は、次のレベルの申込者を助け得る人に助言者のシェアを売ることにある。非常に簡単にいえば、助言することは、申込者に対して決して終わりにはならず、システムおよび投資家は、申込者とともに完成していく。
【００１７】
シェアが取り引きされるとき、シェアの価格は、利用可能なシェアを捜す第一の投資家に売られるように固定され得る。しかしながら、好適には、シェア価格は、オークションスタイル環境において売買される。すなわち、シェアは、投資家が所定の期間中に価格を入札するためにポスティングされる。したがって、期間の終わりに、シェアは、最高価格を提示する入札者のところにいく。
【００１８】
したがって、本発明の第一の局面では、投資家によって個人に資金調達を提供するための方法は、個人の資金調達についての要求を投資家に通信するステップと、資金調達についてのその要求を個人におけるシェアのための費用に関連付けるステップとを包含する。シェアの購入者は、申込者の収入の割合を含む経済的な収益を受け取る。本方法はまた、売り用のシェアを提示するステップと、購入者によって購入価格でシェアを購入するステップとを包含する。購入価格は、シェアの費用であり得る。
【００１９】
本発明の第二の局面では、個人においてシェアを売買するための方法は、シェアの所有者による第一の価格に対する個人におけるシェアの売りについての提示を通信するステップと、包含する。シェアの所有権は、個人収入の割合を付与する。本方法はまた、少なくとも１人の購入者による少なくとも１つのシェアについての入札を提示するステップであって、該入札は第二の価格を含む、ステップと、第二の価格での入札の受諾を通信するステップとを包含する。その後、シェアの所有権は、購入者に移される。
【００２０】
本発明の第三の局面では、マーケットにおいてシェアを売るための方法が提供される。ここでは、シェアは、個人の将来の潜在的な収入における利益を含む。本方法は、最小価格での投資家への購入に対するシェアの利用可能性および助言能力を通信するステップと、少なくとも最小価格を提示する投資家にシェアを売るステップと、最高の助言能力を提示するステップとを包含する。
【００２１】
本発明の第四の局面では、申込者に個人的な資金調達機会を提供する方法は、データベース内の資本に対して複数の要求を登録するステップであって、各要求は、金銭量およびこのような要求に対する理由を含み、各要求は、特定の申込者に関連する、ステップを包含する。本方法は、各リクエストを、申込者に資本を提供する投資家への経済的な収益に関連付けるステップであって、該経済的な収益は、申込者の収入の割合を含む、ステップと、第一の申込者に、第一の投資家によってそれぞれ要求された資本を提供するステップとをさらに包含する。第一の投資家はまた、第一の申込者に助言を提供する。
【００２２】
本発明の他の局面は、本発明の第一の４つの局面の方法を行うための命令を含むコンピュータコードを有するコンピュータ読み出し可能な媒体に向けられる。
【００２３】
本発明のさらに他の局面は、データを格納するための格納手段と、本発明の第一の４つの局面による方法を行うようにプログラムされたプロセッサとを有するシステムに向けられる。
【００２４】
上記局面の全ては、添付の図面および以下の好適な実施形態の詳細な説明を参照すると明らかになる。
【００２５】
（好適な実施形態の詳細な説明）
本発明にしたがうオンライン個人資金調達用のマーケットは、好適には、例えば、インターネットのようなコンピュータネットワークを介して動作される。そのために、本発明のインテーネットベースのハードウェア実行の例が、図１に示される。図に示されるように、クライアントコンピュータ１を動作させる申込者および寄与者は、好適には、サーバ上に位置するウェブサイトとアクセスおよび情報交換することによって、マーケット管理者のウェブサーバコンピュータ２と通信する。このプロセスは、典型的には、彼または彼女のブラウザである、サーバウェブサイトのユニフォームリソースロケータ（ＵＲＬ）を入力する申込者または寄与者によって開始される。参加者のブラウザからのこの通信の受信に応答して、サーバコンピュータ２において動作するソフトウェアは、サーバを制御して、ブラウザに、以下に説明されるオプションのメニューを有するマーケットのホームページのフォーム（一般的には、ハイパーテキストマークアップ言語（ＨＴＭＬ）文書）を送信する。情報交換セッション（これは、好適な実施形態を参照しながら以下に詳細に記載される）が続き、個人が資金調達を要求する申込者として、資金調達を提供する投資家として登録すること、および要求の状態、提示の状態、および寄与者および申込者の状態を監視することが可能になる。
【００２６】
サーバコンピュータ２は、フォーマット化するようにプログラムされ、好適には、以下に詳細に説明されるフォーマットで申込者への提示のためにローカルまたはリモートデータベースまたは他のデータのソースからアクセスされる。サーバコンピュータ２は、本明細書では単独に記載されるが、実際には、本明細書に記載される機能を行うように協力する複数のコンピュータを含み得る。
【００２７】
サーバコンピュータのプログラミングは、コモンゲートウェイインターフェース（ＣＧＩ）プロトコルおよび関連するアプリケーション（すなわち、「ｓｃｒｉｐｔｓ」）、または、Ｊａｖａ（Ｒ）の「ｓｅｒｖｌｅｔｓ」およびＪａｖａ（Ｒ）  ｂｅａｎ、すなわち、ウェブサーバ上でＪａｖａ（Ｒ）アプリケーション等の任意の従来のウェブデータインターフェース技術を利用し得る。以下に記載される情報交換形態（これは、申込者および寄与者による情報の入力のための形態を提示し、これは、入力された情報をデータベースに保存する）は、既知のサーバアプリケーションを用いていくつかの従来の方法の任意においてインプリメントされ得ることが理解される。
【００２８】
例えば、参加者の名前およびパスワードの入力に応答して、サーバは、参加者が例えば「提示」アイコンをクリックする場合に呼び出されるＣＧＩアプリケーションに情報をリダイレクトし得る。例えば、申込者情報または資金調達を提供することに対する申し出の状態に関する情報を含むデータベース（ローカルおよびリモートの両方）へのアクセスも、例えば、他のＣＧＩまたは類似のアプリケーションによってインプリメントされ得る。
【００２９】
本発明の好適な実施形態の一つによると、資金調達は、申込者の潜在的な将来収入の割合と引き換えに提供される。投資家が要求された完全な資金調達を提供することを申し出る場合、引き換えとして、投資家は、申込者の収入の最大の割合（理論的には１００％に至る）を受け取る。好適には、この割合は、申込者の将来の潜在的収入の５０％未満であり、より好適には、１〜２５％間であり、最も好適には、１〜１０％の間である。
【００３０】
本発明の重要な特徴は、助言を提供する投資家の能力である。このため、投資家のプロファイルおよび背景情報は、申込者のための機会、可能な雇用機会のための会社の提携、または投資家が申込者が資金調達を求める分野における特定の専門家（例えば、心臓医療を専門にする医療学校の資金調達を求める申込者に対する心臓のスペシャリスト等）であれば投資家の技能をネットワーク化するために利用可能であり得る影響力のあるコンタクトリストを含み得る。
【００３１】
申し出の概観はまた、投資家と申込者との間の通信を含み得、その結果、取引を行う前に両者は、互いに満足する。投資家および申込者は、親しい個人関係を持つ必要はないが、このような関係は、有益であり、かつ、申込者ならびに投資家の両者に利益をもたらして申込者の潜在的な将来の収入および投資家の投資を向上し得る。
【００３２】
複数の投資家は、彼らの財源をプールし、そして、シェア保持投資グループ（ＳＨＧ）を開始し得る。このため、このグループは、まるで単一の実体物であるかのように投資する。本発明によるオンラインマーケットでは、一旦、シェア保持投資グループが指定されると、グループの一部である任意の投資家は、シェア保持投資グループのテーブルにいつ彼がシステムにログをとるかを表示させる。
【００３３】
シェアの価格は、資本にのみ基づき得るが、本発明におけるシェアの「価格」は、資本コンポーネントおよび助言コンポーネントの両方を含むことが好適である。したがって、各シェア（単数または複数）は、好適には、資本および助言の可能性（ｐｏｔｅｎｔｉａｌ）の両方の点で「最高価格」を提示する入札者に売られる。
【００３４】
「最高価格」は、単に最高の金銭（資金調達）価格含むことに制限されないが、むしろ、最高価格は、最高の資本および最高の助言の可能性の両方を含み得る。最高の価格はまた、より大きい資本コンポーネントと結び付けられた最小の助言コンポーネント、無制限の助言コンポーネントに結び付けられた最小の資本コンポーネントその他を含み得る。
【００３５】
本発明はまた、資産、預金財産、年齢、職業、背景、過去の成功その他を含む、潜在的な申込者および投資家を評価するための水面下のビジネスプロセスを供給し得る。このようなビジネスプロセスにより、申込者のシェアに関する潜在的な価値および可能な金融収益を配置することができる。
【００３６】
さらに、本発明はまた、申込者と投資家との間、並びに、申込者、投資家およびオンラインマーケット間の協定のための必要な手順およびドキュメンテーションを提供し得る。
【００３７】
したがって、一旦、申込者のシェアが投資家によって購入されると、その投資家は、後に別の投資家にシェアを売り得る。このようなシェアが最初の売りの後の任意のときに売られることは本発明の範囲内であるが、法的要件は、投資家が彼らのシェアを一定期間（例えば、２年）保持することを必要とし得る。
【００３８】
本発明では、投資家は、投資家の影響を最大にし、かつ、申込者についての最大量の案内を提供されるまでシェアの大部分を保持する可能性が最も高い。その時点で、投資家の最大の利益は、彼のシェアの一部または全部を、最初の投資家の能力を超えるさらなる助言を提供し得る別の投資家に売ることにある。
【００３９】
申込者のシェアの続く売りに影響を及ぼすように、オンラインマーケットは、ＮＡＳＤＡＱシェアマーケットに類似するシステムを提供する。さらに、このようなマーケットはまた最も高い入札者にシェアを売るために、インターネット上で現行で利用可能なもの（すなわち、ＥＢＡＹ、Ｙａｈｏｏ）に類似するオンラインオークションサイトのように組織化および動作され得る。
【００４０】
申込者の潜在的な将来収入に応じて、第二の購入価格は、一般的なマーケットにて決定され、そして、最初の売りより高い最初の価格になる可能性が最も高い。このため、申込者のための資金調達が、大きな潜在性を有することが予見されるビジネスプランを目的とする場合、シェアの価格は、シェアの購入のために受け取られる入札に基づいてより高くなる可能性が高い。
【００４１】
好適には、本発明では、申込者は、新しい投資家へのシェアの売りを承認することが要求される。本発明は、好適には、申込者と投資家との間の結合を確立するので、このような承認は、申込者新しい投資家と個人的によい関係になることを保証する。しかしながら、このような承認が要求されないことは本発明の範囲内である。
【００４２】
法律に決められるように購入に続く保持期間（例えば、２年）が存在し得るが、申込者は、マーケットによって決められた価格にしたがって、いつでも顕著なシェアを買い戻し得る（あるいは、シェアが取引され得る）。さらに、本発明は、好適には、シェアが当初に売られてから所定の期間が経過した後に所定の価格で申込人がシェアを買い戻すための機会の窓口を組み入れる。例えば、申込人は、２年後に元の購入価格の５倍に等しい費用で自身でシェアを再購入し得る。元々の購入の前に、これらの条件は、オンラインマーケットに対して交渉されるか、または、事前設定され得る。
【００４３】
オンラインウェブベースのマーケットを介して投資家から申込者に資金調達が提供される本発明の好適な実施形態の一つでは、以下のユーザグループが区別される。
【００４４】
未登録ユーザ。これは、デフォルトユーザカテゴリーである。ウェブサイトにアクセスする者は誰でも、有効なユーザＩＤおよびパスワードによってログをとるまで、未登録ユーザであることが仮定される。未登録ユーザは、サイトにおける教育のおよびマーケティングのマテリアル（ｍａｔｅｒｉａｌ）にアクセスし得る。
【００４５】
申込人。申込人は、資金調達を要求する個人である。未登録ユーザと同一のナビゲーションリンクを有することに加えて、申込人は、ウェブサイトを通じてすぐにナビゲートし得、申込人のプロファイルを更新し、支持情報を加えおよび登録を抹消し得る（好適には、資金調達が提供されなかった場合）。
【００４６】
本発明の好適な実施形態では、申込人がウェブサイトにログインする場合、または初めて登録する場合、申込人には、命令専用のウェブページ領域、潜在的な投資家テーブル、および潜在的な投資家との通信リンクを含む情報（またはその情報へのリンク）が提供される。潜在的な投資家のテーブルは、一般的に、潜在的な投資家の名前、通信リンク、新たな申し出、およびプロファイル更新を含む。
【００４７】
受取人。受取人は、資金調達の一部または全部を受け取った申込人である。受取人は、申込人の全ての能力を有するが、受取人のシェア保持グループ（ＳＨＧ）内のシェア保持投資家（ＳＨＩ）と通信することもできる。
【００４８】
受取人がマーケットウェブサイトにログをとる場合、潜在的な投資家のテーブルはまた、ＳＨＧをリストするシェア保持投資家テーブルと同様に表示され得る。シェア保持投資家テーブルは、各ＳＨＩに関する情報、所有されたシェアの数、および通信リンクを含む。
【００４９】
投資家。個人において固定されたまたは変動可能な収益のために投資することを望む者または収益のために個人に金融的な財源を単に提供することを望む者。
【００５０】
潜在的な投資家（ＰＩ）。潜在的な投資家は、マーケットによって申込人に資金調達することが認可された投資家である（例えば、ＰＩの背景のチェックが完了され、ＰＩは、資金調達を提供するための最小限の資格を有する）。図６を参照のこと。
【００５１】
潜在的な投資家がマーケットウェブサイトにログをとる場合、申込人の監視リストテーブルが表示される。監視リストは、各申込人に関する情報（各申込人の名前、申込人によって所有されるシェアの数、および要求された資金調達の量を含む）を含む。監視リストはまた、各申込人と通信するための通信リンク（すなわち、電子メール、チャット、インスタントメッセージング、電話）を含み得る。表示され得る他の情報は、各申込人がプロファイルを更新したことをＰＩに視覚的に通知するプロファイル更新指標と、申込人が現在有しているシェア保持投資家の数、申込人のシェア保持投資家によって所有されるシェアの数、および新しい潜在的な投資家の数を含む。
【００５２】
シェア保持投資家（ＳＨＩ）。シェア保持投資家は、申込人／受取人のシェアに投資した潜在的な投資家である。ＳＨＩは、潜在的な投資家の全能力を有し、受取人のシェア保持グループに通信し得る。
【００５３】
受取人関係テーブルが、申込人監視リストテーブル（上記参照）と同様に、シェア保持投資家に表示される。受取人関係テーブルは、シェア保持投資家および受取人および他のシェア保持投資家（任意の場合）の間の関係に関する情報を含む。関係テーブルはまた、各関係ごとに潜在的な投資家テーブルを含み得る。
【００５４】
シェア保持グループ（ＳＨＧ）。受取人のシェア保持投資家の全て。ＳＨＧは、一般的に、受取人がマーケットウェブサイトにアクセスする場合に受取人に表示される。
【００５５】
管理者。管理者は、本発明にしたがってウェブサイトを操作および維持する個人またはグループである。管理者全てが等しい状態を有するわけではなく、このため、サイトへのアクセスおよび管理モジュールは、変化し得る。
【００５６】
アクセスおよびナビゲーション
未登録／ログインしないユーザは、ウェブサイトを通じてナビゲートし、例えば、マーケットホームページ、登録、より多くの情報、ブラウジング活性化潜在的投資家リスト、およびログインへのリンク、並びに、ウェブサイトの使用条件、プライバシーの考慮、セキュリティ、およびサイトマップへのリンクにアクセスし得る。図２のブロックＳ２Ａ〜Ｓ２Ｉ２は、本発明の一実施形態に対する登録プロセスを示す。
【００５７】
マーケットウェブサイト登録
ユーザは、本発明にしたがってマーケットウェブサイトにアクセスする間の任意の時点において登録し得る。登録リンク上をクリックすると、ユーザは、登録導入ページに向けられる。この登録導入ページは、登録方法に関する詳細な情報を含む（Ｓ２Ａ〜Ｓ２Ｃ）。
【００５８】
ユーザには、申込者または投資家として登録する選択が与えられる（Ｓ２Ｄ）。その後、ユーザは、申込者または投資家のいずれかのための登録領域に向けられ、この時点で、ユーザが適切なアイコンを選択したこと保証するために、選択がチェックされる（Ｓ２Ｅ２／Ｓ２Ｆ２）。ユーザが個人情報を入力した後、システムは、ユーザがマーケットに参加するための支配権（ｊｕｒｉｓｄｉｃｔｉｏｎ）を持つかを見るためにチェックする。このため、ユーザがマーケットの動作上の支配権外にある場合、支配権外である通知が、ユーザに提示される（Ｓ２Ｅ３、Ｓ２Ｆ３、Ｓ２Ｇ１、Ｓ２Ｇ２）。
【００５９】
ユーザが適切な支配権をもつ場合、マーケットの使用条件に関する情報がユーザに提示され（Ｓ２Ｇ３）、この時点で、ユーザは、その条件を受け入れるか辞退しなければならない（Ｓ２Ｈ）。受託すると（Ｓ２Ｉ１、Ｓ２Ｊ１）、申込者または投資家のいずれかとしてのユーザの登録が確認され、次いで、登録されたユーザは、申込者または投資家のためのメインのウェブページに向けられる（Ｓ２Ｉ２、Ｓ２Ｊ２）。
【００６０】
投資家として登録するために、ユーザは、投資家登録ページに供給される適切なフィールドに識別情報を入力しなければならない。このような情報は、概して、名前、住所、電話番号および社会保障番号を含む。
【００６１】
さらに、認可された情報は、さらに、収入並びに、投資可能な財産の量、職業、雇用者、題目、産業経験、経験年数、退役、教育その他を含むがこれらに制限されない他の情報に関連して入力されるべきである。
【００６２】
投資家が資金調達することを望む投資または貢献の大きさを詳述するフィールドおよび充足感のレベルを示すフィールドも含まれ得る。充足感のレベルは、接触なしから、幾分の接触、可能な結合および助言を伴う幾分の接触にわたり得る。
【００６３】
申込人として登録するために、ユーザは、名前、住所、電子メールアドレス、電話番号、社会保障番号、ユーザ名およびパスワードその他を含む識別情報を入力する。以前の住所、学校、およびより重要には、要求された資金調達の量および資金調達の理由に関する他の情報も、要求され得る。
【００６４】
その後、投資家または申込人としてのユーザの登録が検証される。
【００６５】
登録された申込人または登録された潜在的な投資家のいずれかの支持情報は、テキスト、画像、および他の情報（人を申込人／投資家に関する情報を含むウェブページに向けるＵＲＬを含む）を加えることによって改変され得る。
【００６６】
この情報は、興味のある関係者によって見られ得る。例えば、申込人は、支持情報を見ることによって、見込みのある投資家を見得、投資家は、支持情報を見て見込みのある申込者を見得る。
【００６７】
申込人のための検索
マーケットに登録する投資家は、一般に、要求された資金調達を供給することを望み得る任意の潜在的な申込人がいるかを決定するために、マーケットにアクセスする。したがって、投資家は、投資家を資金調達する申込者のための照会ウェブページに向けるマーケットのホームページ上のリンクを選択する。
【００６８】
投資家は、資金調達を提供することを望む申込者のタイプを表わす照会フィールドに情報を入力する。例えば、投資家は、教育のために資金調達を要求する申込人に投資することを望み得、より好適には、投資家は、エンジニアリングまたはコンピュータサイエンスのような技術教育を探求することを望む申込人に投資することをを望み得る。
【００６９】
したがって、投資家が照会情報を入力した後は、申込者データベースの検索が行われ、検索基準に関連する申込者のリストが戻される。そこから、投資家は、申込者およびその支持情報を概観する。図３のブロックＳ３Ａ〜Ｓ３Ｉは、このような検索を示す例である。
【００７０】
示されるように、潜在的な投資家は、ＰＩが特定の申込者に資金調達するために検索条件を入力する照会画面にＰＩを向ける「検索」とラベル付けされたアイコンを選択する（Ｓ３Ａ）。検索は、エラーを戻し（Ｓ３Ｅ、Ｓ３Ｆ）、ウェブサイト上の他の場所に進み得る（Ｓ３Ｄ）が、検索の結果は、ＰＩに表示される（Ｓ３Ｇ）。この時点で、ＰＩは、検索において見出された申込者の任意の一つの支持詳細情報を選択し、それを見て、かつ／または、申込者に連絡を送り得る（Ｓ３Ｈ、Ｓ３Ｉ）。
【００７１】
次いで、潜在的な投資家は、潜在的申込者の照会から概観した所定の申込者を選択し、そして、それらを監視リストに加え得る。監視リスト（上記のような）は、潜在的投資家がシステムにログをとるときにこの監視が表示される場合に潜在的な投資家に表示される。
【００７２】
資金調達の供給の申し出
潜在的な投資家は、第一の申込者を単に選択し、そして、その申込者に要求された資金調達を供給し得るが、投資家は、投資家が案内、アドバイスおよびネットワーク化機会、すなわち、助言を提供し得る申込者に投資することによって、彼の投資を最大にすることを望み得る。
【００７３】
申込者は、１より多くの申し出を受け取り得、このため、各投資家についての背景情報の概観が、申込者が最も満足を感じる投資家を選択する際に重大である。しかしながら、申し出は、全体の資金調達要求の一部についてのみであり得、このため、申込者は、全体の資金調達要求を満たすために多数の投資家からの資金調達についての申し出を受け入れ得る。
【００７４】
図４は、申込者／受取人からシェアを購入するか、本発明の好適な実施形態におけるシェア保持投資家（ＳＨＩ）からシェアを購入するために潜在的投資家から申し出を行うプロセスを説明するフローチャートを示す。潜在的な投資家またはシェア保持投資家がシステムにログを取った後（Ｓ４Ａ）、ユーザは、特定の申込者、受取人またはシェア保持投資家が特定の価格でシェア（単数または複数）を購入するために「申し出を行う（Ｍａｋｅ  Ｏｆｆｅｒ）」アイコンを選択する（Ｓ４Ｂ）。最初の背景チェックが完了すれば（Ｓ４Ｃ）、資金調達の供給に関する条件が潜在的な投資家に提示される（Ｓ４Ｄ）。ＰＩが条件に同意すれば（Ｓ４Ｆ）、分配特定が入力される（申し出の量、シェアの数（Ｓ４Ｆ））。この実施形態では、ＰＩはまた、任意のさらなるコメントを申込者に提供し得る。このようなコメントは、ＰＩの特定の助言能力を含み得る。
【００７５】
図４にさらに示されるのは、分配特定がシステムが利用可能なものより大きい多数のシェアを入力する、または、申し出価格があまりに低い場合、その他等の理由によるエラーを戻すことを引き起こし得る場合である（Ｓ４Ｇ、Ｓ４Ｈ）。
【００７６】
申し出人は、分配特定を行った後でも、申し出を取り消し得る（Ｓ４Ｉ）。申し出を取り消す場合、ユーザは、メインページに戻される（Ｓ４Ｊ、Ｓ４Ｋ）。申し出人が申し出を確認した場合、ユーザは、申し出を検証および確認するように要求される（Ｓ４Ｌ、Ｓ４Ｍ）。申し出が確認された場合、それは、オファリー（ｏｆｆｅｒｒｅｅ）に通信され、申出人は、メインページに戻される（Ｓ４Ｎ、Ｓ４Ｋ）。
【００７７】
その後、申し出は、電子メールメッセージを介して申込人／受取人またはシェア保持投資家に通信される。その通信を受信すると、申し出を受け取る集まりは、申し出を受け入れ得る。
【００７８】
申し出の受入
図５は、申し出を受け入れる工程のプロセスのフローチャートを示す。申込者（申込者／受取人またはシェア保持投資家）は、受け取った申し出を概観し（Ｓ５Ａ）、その時点で、申込者は、特定の潜在的投資家からの申し出を受け入れる（Ｓ５Ｂ）。使用条件が申し出の受入時の条件を説明するオファリーに表示される（Ｓ５Ｃ）申込者がその条件を受け入れる場合、分配特定が申込者に提示される（Ｓ５Ｄ、Ｓ５Ｅ）。申込者が受け入れない場合、申し出は、取り消され（Ｓ５Ｈ）、申込者は、メインページに戻って向けられる（Ｓ５Ｉ）。しかしながら、条件が受け入れられれば、申込者は、分配の特定を好むかを決定しなければならず（Ｓ５Ｆ）、その時点で、受入が取り消されるのでなければ（Ｓ５Ｈ）、申込者は、受入を確認する（Ｓ５Ｇ）。その後、申込者は、メインページに向けられる（Ｓ５Ｉ）。
【００７９】
背景チェック
潜在的投資家が申し出を行う、または、申込者が申し出を受け入れる前に、それぞれは、他方側で背景チェックが行われることを要求し得る。さらに、本発明によるマーケットは、登録される前に申込者および投資家の背景チェックを要求するポリシーを含み得る。したがって、このような背景クリアランスを行う例示の方法が、図６〜８に示される。
【００８０】
図６のブロックＳ６Ａ〜Ｓ６Ｌは、最初の投資家背景チェックのプロセスを示す。示されるように、投資家が登録情報を確認する際（Ｓ６Ａ）、システムは、申込者との分配が背景クリアランスチェック前に閉じられない可能性があることを投資家に通知する（Ｓ６Ｂ）。本発明は、特定量の資金調達の投資に対する個人／グループの承認のための現行の方法および標準に依存する。
【００８１】
投資家の情報は、投資家の情報を検証するために背景検索会社に転送される（Ｓ６Ｃ、〜Ｓ６Ｄ）。結果が受入可能であれば、マーケットは、投資家が申込者／受取人との閉じた分配を進めることを許容し（Ｓ６Ｅ〜Ｓ６Ｆ）、情報が記録される（Ｓ６Ｊ）。
【００８２】
結果が受入不可であれば、情報を検証するために投資家にメッセージが送られる（Ｓ６Ｇ）。時間制限が課され（例えば、５日）、投資家が時間内に投資家の背景を保証する場合、投資家は、分配を進めることを許容される（Ｓ６Ｇ〜Ｓ６Ｉ）。投資家が時間内に投資家の背景を保証しない場合、投資家は、閉じた分配から遮断される（Ｓ６Ｋ）。さらに、投資家はまた、未登録にされ得、マーケットにアクセスすることがもはや許容されない（Ｓ６Ｌ）。
【００８３】
図７のブロックＳ７Ａ〜Ｓ７Ｊは、申込者の背景チェックを示す。潜在的な投資家は、背景チェックを行わせるために申込者を選択する（Ｓ７Ａ）。申込者次第で、特定の申込者による認可が要求され得る（Ｓ７Ｂ）。要求されれば、申込者の認可が取得されなければならない（Ｓ７Ｃ）。データは、チェックを行う背景会社に転送される（Ｓ７Ｄ）。その結果は、潜在的投資家および申込者に戻され（Ｓ７Ｅ、Ｓ７Ｆ）、記録され得る（Ｓ７Ｇ）。潜在的な投資家が申込者に資金調達を進めるように選択すれば、投資家は、分配形成プロセスを継続する（Ｓ７Ｉ）。他の場合には、潜在的な投資家は、監視リストから申込者を除去する（Ｓ７Ｊ）。
【００８４】
申込者により潜在的な投資家の背景についてチェックするための類似のプロセスが図８のブロックＳ８Ａ〜Ｓ８Ｊに示される。
【００８５】
申し出の受入
申込者が全ての申し出を概観した後、申込者は、特定のＰＩ（単数または複数）の申し出を受け入れ、そのＰＩに通信を送る可能性がもっとも高い。好適には、通信のコピーは、マーケットの管理者に送られ、その結果、資金の移転を遂行し、シェアを落札するための法律上かつ金融上の機構が開始され得る。図５のブロックＳ５Ａ〜Ｓ５Ｉは、本発明の一実施形態による申し出を受け入れるための受入プロセスを示す。
【００８６】
分配形成プロセス
図９〜２０は、本発明の実施形態によるマーケットを通じて取り引きされる種々の分配形成フローチャートを示す。各図は、特定の電子メールメッセージ（例えば、Ｅ１〜Ｅ６２）および通知（Ｍ１〜Ｍ１３）を参照する。この内容は、以下の通りである。
【００８７】
潜在的な投資家と申込者との間の分配形成
図９は、潜在的な投資家（買い手）と申込者（売り手）との間の分配形成プロセスを示す。買い手は、売り手と通信し（Ｓ９Ａ）、その後、売り手に申し出を行う（Ｓ９Ｂ）。新しい申し出は、申込者の潜在的な投資家リスト上に表示され（Ｓ９Ｃ）、通信が売り手に転送され、売り手に申し出を通知し、申し出の満期日を示す。売り手が買い手からの申し出を受け入れる場合（Ｓ９Ｄ）、メッセージが買い手および売り手に送られ、分配が受け入れられたことをそれぞれに通知する。売り手が申し出を受け入れない場合、分配は、終了し、この場合、買い手は、売り手と再交渉し、新しい申し出を形成し得る（Ｓ９Ｅ）。
【００８８】
取引の管理のために、分配条件が会計システムに送られる（Ｓ９Ｇ）、買い手の状態が潜在的な投資家からシェア保持投資家に変化する。その後、売り手の状態が申込者から受取人に変化し、シェア保持投資家が受取人のシェア保持グループテーブルに記入される（Ｓ９Ｈ）。
【００８９】
会計システムは、分配の進行をを引き受け、調整し、監視する。ＰＩが所定期間（例えば、５日）以内に支払いを転送し、かつ、支払いが分配条件を反映する場合、分配は、閉じられ、本発明によるマーケットのウェブサイトは、支払いが受け取られたことをＰＩおよび申込人に通知する。その後、金銭がＰＩに移行される（Ｓ９Ｉ〜Ｓ９Ｕを参照）。
【００９０】
好適な実施形態では、マーケットは、シェアの売買から利益を得、取引費用として所定の割合を請求する。このため、上記分配を閉じるときに、受け取られる資金調達の割合がマーケットオペレータに転送される（Ｓ９Ｓ）。
【００９１】
所定期間以内に支払いが受け取られなければ、マーケットのウェブサイトには、その時点で誰がＰＩを催促するかが通知される（Ｓ９Ｊ）。ＰＩには、追加支払い期間（例えば、５より多い日）が与えられ得、支払いがなされれば、プロセスは、上記概要のように進む（Ｓ９Ｋ）。買い手が依然として支払わなければ、契約不履行処置が、売り手によって開始され得（Ｓ９Ｌ）、申込者およびＰＩに通知が転送される。
【００９２】
買い手が支払いを実行したが、分配に満たない場合、会計システムは、支払い残量を買い手に通知し（Ｓ９Ｊ）、この実行に対してメッセージが送られる。シェア保持投資家には、追加支払い期間（例えば５より多い日）が与えられ得、この時点で、買い手が残量を送れば、分配が進み、送らなければ、売り手は、契約不履行を開始する権利が通知される。
【００９３】
潜在的な投資家と受取人との間の分配形成
図１０は、潜在的な投資家と受取人との間の分配形成フローチャートを示す。潜在的な投資家が受取人に申し出を行った後（Ｓ１０Ａ）、その申し出は、潜在的な投資家リスト上にポスティングされる（Ｓ１０Ｂ）。受取人が申し出を受け取る場合（Ｓ１０Ｃ）、分配が閉じられ、受取人についての潜在的な投資家の状態は、シェア保持投資家に変化し、次いで、新しいシェア保持投資家が受取人のシェア保持グループに記入される（Ｓ１０Ｆ）。
【００９４】
分配が受け入れられたことを潜在的な投資家、受取人および分配保持グループのその他に通知するメッセージが送られる（Ｓ１０Ｈ）。会計システムには、分配の詳細通知され（Ｓ１０Ｇ）、会計システムは、潜在的な投資家から申込者／受取人に支払いを移行するために、潜在的な投資家と申込者との間の分配形成フロー（図９参照）に対する上記概要と同一のプロセスを行う（Ｓ１０Ｉ〜Ｓ１０Ｗ）。
【００９５】
潜在的な投資家と受取人との間の分配形成−シェア保持投資家（ＳＨＩ）の無効化
図１１は、受取人が、潜在的な投資家による申し出に対して潜在的な投資家とシェア保持投資家との間の潜在的な分配を無効にする場合の潜在的な投資家と受取人との間の分配形成フローの例を示す。潜在的な投資家は、シェア保持投資家から個人の１以上のシェアを購入することを申し出る（Ｓ１１Ａ）。潜在的な投資家の名前が、潜在的な投資家リスト上にポスティングされ、その申し出は、現在の申し出のリスト上に記入される（Ｓ１１Ｂ）。シェア保持投資家は、申し出を受け入れ、メッセージが両者および受取人に送られる（Ｓ１１Ｃ）。新しいシェア保持投資家の名前が、申し出が受け入れられたことを示すために申し出テーブル上にカラーコードされる（Ｓ１１Ｄ）。この時点で、受取人は、分配を受け入れる権利を行使することによりＳＨＩを無効にし（受取人が依然として顕著な未売のシェアを有する場合）、受取人のシェア（単数または複数）を買い戻すか、または、いかなる権利行使もしないで、潜在的な投資家とシェア保持投資家間の分配が処理されることを可能にする（Ｓ１１Ｅ）。この選択は、概して、所定の期間（例えば、５日）内になされなければならない。
【００９６】
受取人がシェア（単数または複数）を買い戻すことを望む場合、分配形成は、図１３にしたがって進行する（Ｓ１１Ｆ）。受取人が潜在的な投資家とシェア保持投資家（ＳＨＩ）との間の分配を無効にする場合、潜在的な投資家と受取人との間の分配は閉じ（Ｓ１１Ｈ）、潜在的な投資家のステータスは、シェア保持投資家に変わる（Ｓ１１Ｉ）。分配条件が会計システムに転送され、図９および１０の概要と同一のプロセスに続く（Ｓ１１Ｌ〜Ｓ１１Ｘ）。
【００９７】
受取人が潜在的な投資家とシェア保持投資家との間の分配を無効にする権利を行使しない場合、プロセスは、以下の図１２において概略が説明される。
【００９８】
潜在的な投資家とシェア保持投資家との間の分配形成
ブロックＳ１２Ａ〜Ｓ１２Ｆは、それぞれ、図１１のブロックＳ１１Ａ〜Ｓ１１Ｆに対応する。したがって、この場合には、潜在的な投資家とＳＨＩとの間の分配は、進むことが許容される（Ｓ１２Ｇ）。ブロックＳ１２Ｆは、図１３に対応し、ブロックＳ１２Ｈは、上記の図１１に対応する。
【００９９】
ＰＩとＳＨＩとの間の分配条件が、会計システムに送られる（Ｓ１２Ｋ）。ＰＩが所定期限以内に支払い（Ｓ１２Ｌ、Ｓ１２Ｐ）、かつ、支払いが分配の詳細に一致すれば（Ｓ１２Ｑ）、分配が閉じられる（Ｓ１２Ｒ）。集まり（ｐａｒｔｙ）は、通知され（Ｓ１２Ｓ、Ｓ１２Ｔ）、支払いが古いＳＨＩに送られる（Ｓ１２Ｖ）。支払いの一部が、マーケットのオペレータに提供され得る（Ｓ１２Ｗ）。含まれる集まりの会計は、支払いが古いＳＨＩによって受け取られたことを示すように調整され（Ｓ１２Ｘ）、閉じた分配には、番号が割り当てられ、データベースに記録される（Ｓ１２Ｙ）。
【０１００】
支払いが分配の詳細に一致しない場合（Ｓ１２Ｑ）（すなわち、支払いが最初に受け取られなかった場合）、ＰＩは、催促され、支払いを転送するための別の期間が与えられる（Ｓ１２Ｍ、Ｓ１２Ｎ、Ｓ１２Ｏ）。支払いが受け取られなかった場合、ＳＨＩには、（ＰＩと同様に）不履行処置に進み得ることが通知される（Ｓ１２Ｏ）。
【０１０１】
シェア保持投資家と受取人との間の分配形成−買うためのＰＩの申し出（買戻し）の受取人の無効
潜在的な投資家は、ＳＨＩから購入する申し出を行う（Ｓ１３Ａ、Ｓ１３Ｂ）。ＳＨＩは、ＰＩからの申し出を受け入れ（Ｓ１３Ｃ）、ＰＩの名前が申し出テーブルに加えられて、申し出が受け入れられたことを示す（Ｓ１３Ｄ）。この時点で、受取人は、ＳＨＩからシェアを買い戻す（Ｓ１３Ｅ）か、購入を無効にする（Ｓ１３Ｆ）か、または、いずれもしないか（Ｓ１３Ｇ）の権利を行使し得る。受取人がシェアを買い戻すことを望む場合、ＳＨＩと受取人間の分配は、閉じる（Ｓ１３Ｈ）。問題のシェアは、ＳＨＩの会計から除去され、支払いが未済であることを示すカラーコードされた背景と共に受取人の会計に配置される（Ｓ１３Ｉ）。次いで、メッセージがＰＩおよびＳＨＧに送られる（Ｓ１３Ｊ）。
【０１０２】
ブロックＳ１３Ｍ〜Ｓ１３Ｚ４は、支払いを集めかつ追跡するためのプロセスを示し、以前の分配形成フローチャートにおいて記載された以前に列挙されたプロセスに実質的に類似する。したがって、分配条件は、会計システムに転送される（Ｓ１３Ｍ）。受取人が割り当てられた期間以内に支払い、かつ、支払いが分配条件に一致する場合、分配は閉じ、受取人およびＳＨＩには、分配が閉じられ、支払いは、（マーケットによって保持された割合と共に）ＳＨＩに転送されたことが通知される。Ｓ１３Ｕ〜Ｓ１３Ｙを参照のこと。
【０１０３】
以前の分配形成フローチャートと同様に、プロセスは、支払いが時間通りまたは少しもに受け取られない場合に臨時出費を提供する（Ｓ１３Ｎ、Ｓ１３Ｏ、Ｓ１３Ｐ、およびＳ１３Ｚを参照）。
【０１０４】
シェア保持投資家と受取人との間の分配形成−シェアの買い戻し
受取人は、シェアを買い戻すためにＳＨＩに申し出を行い得る（Ｓ１４Ａ）。このため、受取人の名前がＳＨＧに表示された申し出テーブルに加えられる（Ｓ１４Ｂ）。ＳＨＩがその申し出を受け入れる場合（Ｓ１４Ｃ）、それらの間の分配は閉じ、シェアは、ＳＨＩの会計から除去され、支払いがまだ受け取られていないことを示すカラーコーディングとともに受取人の会計に配置される（Ｓ１４Ｄ、Ｓ１４Ｅ）。購入されたシェアの数に応じて、適切な電子メールメッセージが含まれる各集まりに転送される（Ｓ１４Ｆ、Ｓ１４Ｇ）。その後、プロセスは、会計システムに転送された分配条件で継続する（Ｓ１４Ｈ）。プロセスの残り（Ｓ１４Ｉ〜Ｓ１４Ｔ）は、図１３の後ろ部分のもの（Ｓ１３Ｎ〜Ｓ１３Ｚ）に実質的に類似する。
【０１０５】
投資家に支払う受取人
受取人が分配条件によって収益を確立する場合、マーケットは、受取人がＳＨＧに支払いを行わなければならない催促を送る（Ｓ１５Ａ）。受取人が所定期間以内に支払う場合（Ｓ１５Ｂ）、会計システムは、受取のコピーである１０４０の申告を受け取り、各ＳＨＩへの受取人の支払いが１０４０のフォーム上に申告された収益に比較して適切であることを検証する（Ｓ１５Ｂ、Ｓ１５Ｃ、Ｓ１５Ｄ）。支払いが適切であれば、支払いは、処理され（Ｓ１５Ｅ）、支払いは、マーケット（Ｓ１５Ｌ）および各ＳＨＩ（Ｓ１５Ｍ）に転送される。会計システムは、支払いの詳細についてマーケットデータベースを更新する（Ｓ１５Ｋ）。
【０１０６】
ＳＨＩは、支払いを検証することを選択し（Ｓ１５Ｎ）、この時点で、検証の際、支払いプロセスが閉じられる（Ｓ１５Ｐ）。支払いが正しくない場合（Ｓ１５Ｏ）、ＳＨＩは、正しい量を受取人に知らせる（Ｓ１５Ｑ）。受取人が設定された時間内に支払う場合（Ｓ１５Ｒ）、会計システムはまた、正しい量を受取人に知らせる（Ｓ１５Ｗ、Ｅ５９）。受取人がその後の設定時間内に支払う場合、プロセスは、ブロックＳ１５Ｃに取り戻される。
【０１０７】
受取人が支払いを遂行しない場合、ＳＨＩによって不履行処置が開始され得る（Ｓ１５Ｓ、Ｓ１５Ｖ、Ｓ１５Ｘ）。
【０１０８】
支払い処理の際（Ｓ１５Ｅ）、会計システムは、マーケットデータベースについて支払いの詳細を更新する（Ｓ１５Ｋ）。支払いが固定された還付シェアに対する場合（Ｓ１５Ｆ）、システムは、支払いは受取人の債務を満たすかどうかを決定する（Ｓ１５Ｇ）。満たしていれば、マーケットは、関係が集結したことをＳＨＩおよびＳＨＧの構成員に通知する（Ｓ１５Ｈ）。支払いが受取人の債務を満たさない、または、支払いが固定された還付シェアに対するものでない場合、マーケットは、支払いが受け取られたことを受取人に通知し（Ｓ１５Ｊ）、次の支払い量をＳＨＩに通知する（Ｓ１５Ｉ）。
【０１０９】
潜在的な投資家と申込者との間の固定された還付申し出
このシナリオでは、潜在的な投資家は、申込者と通信し、この際に、資金調達の申し出が固定された還付（すなわち、申込者／受取人により特定されるかまたは後に交渉される特定量の再支払い）に対してなされる（Ｓ１６Ａ、Ｓ１６Ｂ）。申し出は、申込者の潜在的な投資家リスト上にポスティングされ（Ｓ１６Ｃ、Ｓ１６Ｄ）、申込者は通知される。申込者が申し出を受け入れると（Ｓ１６Ｅ）、メッセージが各集まりに転送され、分配条件が会計システムに送られる（Ｓ１６Ｈ）。次いで、ＰＩの状態は、ＳＨＩに変更されるが、支払いがまた受け取られていないことを示すようにカラーコードされる（Ｓ１６Ｉ）。その後、ブロックＳ１６Ｊ〜Ｓ１６Ｖは、支払いの移行および分配の終結のプロセスを詳説する。
【０１１０】
本発明のさらなる実施形態
以下の本発明のさらなる局面は、どのように本発明が適用され得るかのいくつかのさらなる例を表す。
【０１１１】
可変還付
本発明はまた、投資家の還付のタイミングおよび量の変動を与えるように構成され得る。特に、本発明は、可変の払い戻しを提供するように構成され得る。特に、投資家の還付は、特定の期間を通して最小の収入を達成する個人のみに基づき得る。例えば、基本収入は、特定エリアでの生活の年次費用であってもよく、また、年次の国の平均に基づいてもよ売り手の収入がそのレベルより下である場合、投資家は、特定された期間を通して何も集めない。このため、売り手の可変収入について集めることのみによって、売り手は、アイデアが失敗した場合の考えられる破産を避ける安心感が認められる。
【０１１２】
大学授業料
投資家は、個人収入の一部と引き換えに、教育のための資本を求める個人に投資し得る。この局面に関して個人に助言することは、カリキュラムおよび過程選択の案内を含み得る。助言することは、彼の研究の完成後に個人に対する仕事を提供することまたは個人のための仕事を見つけることをさらに含み得る。
【０１１３】
資金投資
資金は、特定の題目またはエリアに対する投資家によって確立される。例えば、資金は、医療専門職において教育を求めるもののために確立される。資金が医療学校に行くための資本金を要求する個人に投資する場合、資金の投資家は、個人の助言者になる。この局面は、個人が医療学校において成功するためだけでなく、その後の専門教育のポジションおよび雇用ポジションを見つけるためのほとんど無制限の水平および垂直のネットワーキングを売り手に提供する。
【０１１４】
非営利
本発明による方法およびシステムを通じて得られる営利は、癌研究からホームレス保護まで資金提供者が望むものに向けられる。
【０１１５】
逆オークション
投資家によって個人のシェアを売買することと対照的に、より大きい割合還付またはより良好な条件を申し出ることによって個人が投資家の資本金に対して入札する。
【０１１６】
本発明は、性能を向上させ、オンラインマーケットにさらなるサービスを促進および提供するために、任意の数の従来技術の方法およびデバイスと関連して用いられ得る。例えば、本発明は、以下に用いられ得る。
【０１１７】
インターネットチャットシステム、これにより、ユーザは、マーケットを通じて実時間に通信し得る。
【０１１８】
クレジットカード取引−投資家が資金調達を容易に提供することが可能になる
関連および非関連の商品およびサービスのセールス
上記実施形態の観点で本発明を提示させることにより、種々の変更、改変および改善が本発明の範囲および意図内であることが意図される。したがって、上述の説明は、例示のみであって、特定の詳細および列挙された例に制限するように意図されない。
【０１１９】
例１
未登録ユーザ−Ｍａｒｔｉｎ  ＭｃＣａｒｔｅｒ，２１
１１：３０ＡＭ  月曜日。Ｍａｒｔｉｎ  ＭｃＣａｒｔｅｒは、彼の寄宿舎の部屋からマーケット組織をブラウズする。彼は、カレッジの最上級生であり、Ｕｎｉｖｅｒｓｉｔｙ  ｏｆ  Ｍｉｃｈｉｇａｎ  Ｌａｗ  Ｓｃｈｏｏｌに受け入れられており、彼は、極端に興奮しているが、同時に、非常に心配もしている。Ｍａｒｔｉｎは、大学院はもちろんのこと、大学に行く彼の家族において第一の人物であり、彼は、いかに授業業を支払うかについて本当に心配している。彼の家族は、できる限り彼を助けているが、彼は、家族の助けは、１年分の授業業のほんの一部をカバーするだけであることを知っている。彼の受け入れ以来、彼は、熱心に貸付情報を研究しているが、友人が彼にマーケットについて話した。彼女の姉は、彼女の医療学校の授業料について投資を受け、彼女は、人類学ＰｈＤの融資に申し込むつもりである。
【０１２０】
彼は、Ｌｅａｒｎ  Ｍｏｒｅセクションを読み、「マーケットについて」内の情報の調査を進め、そのコンセプトに興味を持っている。彼は、友人の姉が彼女に投資した何人かの人を有しており、そのうちの一人が実際に彼女が学校を卒業したときに最も望んでいる専門教育を得ることを助けるために人肌脱いだことを知っている。彼は、勤勉に（少し感銘しながら）投資家プールをブラウズすることを進めた。ここには実際に、彼が金融ニュースから認識する何人かの名前があり、何人かは、高プロフィールの弁護士である。ここには、彼に彼が必要とするある種の資金調達を与え得る明確な潜在的な投資家がいる。
【０１２１】
利用可能な調査プロセス（潜在的な投資家と詳細に通信し、背景チェックを実行する能力）がさらに、彼に感銘を与える。彼は、登録プロセスを調査したが、彼自身および彼の金融の必要性について与える必要がある情報は何もなかった。彼は、投資を受け取ることが何と真剣なステップかと考える。
【０１２２】
彼は、彼が行動を起こす前にマーケットについてその他に何が見出され得るかを見ることを決める。
【０１２３】
９：４５ＡＭ  水曜日。Ｍａｒｔｉｎは、マーケット組織にログオンする。彼は友人の姉に電話して、マーケットについての彼女の経験について大いに彼女と話し、彼女は、このようにして投資家を求めることが銀行の貸付よりも良いかの理由についての彼女の考えを彼に与えた。彼もまた、Ｈｏｏｖｅｒにある会社をチェックし、２つの他の受取人を突き止め、話をした。最終的に、彼は、アイデアを彼の家族と相談した。彼らは入り混じった意見を持っていたが、最終的には、実行するのは彼の決定である。彼は、それを試行することを決めた。結局、彼は、彼が満足しないことは何もする必要がない。
【０１２４】
彼は、法律学校について支払う援助を探す売り手として登録し、Ｕｎｉｖｅｒｓｉｔｙ  ｏｆ  Ｍｉｃｈｉｇａｎに受け入れられたこと、加えて、彼の金融情報（ｂａｎｋｉｎｇ  ｉｎｆｏｒｍａｔｉｏｎ）を登録した。彼は、彼が授業料のために必要とする量を入力し、操作を完了した（ｄｏｎｅ）。オンライン再開フォームを書き入れるよりも簡単である。彼は、彼が売り手として目立つのために十分でないという不安を少し感じ、どんなさらなる情報を彼は彼のプロファイルに含み得るかを考える。
【０１２５】
３ＰＭ  木曜日。Ｍａｒｔｉｎは、マーケット組織にログオンし、彼の新しい名前およびパスワードを入力する。彼は、いくつかの新しいファイル（Ｍｉｃｈｉｇａｎからの彼の受入レターのデジタルコピー、彼の大学の謄本および最上級生のテーマのような）および彼の資金調達の必要性の改善された説明を用意している。
【０１２６】
彼は、潜在的な投資家を持っている！彼は、Ｔｏｍ  ＧｒｅｅｎからのＢＢＳメッセージを（少し簡単に）調べ、Ｍａｒｔｉｎについてのより多くの情報を望み、彼は、１９７９年のクラスのＭｉｃｈｉｇａｎ  Ｌａｗの卒業であり、２人の他のマーケット売り手にすでに投資したことを言う。彼は、クリックし、Ｔｏｍ  Ｇｒｅｅｎのプロファイル：Ｔｈｏｍａｓ  Ｇｒｅｅｎ，Ｐａｒｔｎｅｒ  ａｔ  Ｋｉｒｋｌａｎｄ  ａｎｄ  Ｅｌｌｉｓ，Ｒｅａｌ  Ｅｓｔａｔｅ  ｐｒａｃｔｉｃｅを調べた！
Ｍａｒｔｉｎは、「プロファイル更新」をクリックし、彼の資金調達の必要性の彼の説明を改訂し、彼の資料を加える。次いで、彼は、彼のメインページに戻り、Ｔｏｍ  Ｇｒｅｅｎにクリックし、彼の興味に対して彼に謝辞を述べ、より多くの情報が今ポスティングされていることを彼に通知するメッセージを彼にポスティングする。
【０１２７】
例２
登録された売り手−投資前−Ｄａｖｉｄ  Ｔａｆｅｌｓｋｉ，３２
１１：３０  木曜日。Ｄａｖｅ  Ｔａｆｅｌｓｋｉは、ワークからマーケット組織会計にログインし、潜在的な投資家からのメッセージのために彼のメインページをチェックする。Ｄａｖｅは、システムアナリストであるが、彼はまた、小説を書き、いくつかの短編を出版している。１年超の間、彼は、彼のオフ時間に小説を書くことを試行している。彼は、現在までの彼の進歩によって挫折感を持たされており、彼が全時間本に取りかかり得ることを望み、彼は、それを出版させることが可能であることを確信している。
【０１２８】
Ｄａｖｅは、小説を完成させるために１年間仕事を辞めることを可能にする資金調達を求めるマーケットに登録した。−彼は、少し大博打ではあるが、何を失う必要があるか？と感じた。彼は、いくつかの本の見出しおよび彼の出版した物語をポスティングし、３５，０００ドルを求めてている。
【０１２９】
今のところ、彼は、少しの利益を得ているが、かみあっていない。いくつかの潜在的な投資家は、質問とともに彼に接触し、彼の才能を読ませることを主張する。彼は、数人の投資家に少し踊らされた。−彼らは、興味を持っているように見えるが、明らかに、彼は、かなりハイリスクな投資である。彼は、新しいメッセージに対する彼のＰＩリストを調べる。Ｂｉｌｌ  Ａｕｄｅｎ（弁護士）からの一つは、彼の「プロセス」について尋ね、彼は、この人は、決して投資しようとしないと疑ったが、彼は、彼自身について入力した。Ｊｉｍ  Ｔｕｒｎｅｒ（シェア仲買人）からの別のものは、本が完成した後に本を売るために彼が戦略を持っているか、およびマーケットに出されるようにどうしたいのかを彼に尋ねる。良い質問であるが、本が終了するまではるか遠くの状態であり、今すぐに考えることは困難である。未だ、彼は、彼が接触した作者代理人を列挙し、適切にマーケットに出されれば本がよく売れると彼が考える理由についての返答を作成中である。Ｄａｖｅは、Ｊｉｍ  Ｔｕｒｎｅｒは、現実に興味と持っているが、彼に投資することに関して神経質であると感じる。
【０１３０】
彼のポスティングされたワークを読み、非常に良い考えであり、資金調達を得た場合に本を完成させることをどのように彼が計画しているかを知りたいことを彼に通知する、新しい潜在的な投資家、Ｊａｎｅ  Ｈａｕｐｔ−Ｗｏｌｆｆからのメッセージがある。彼は、彼女のプロファイルを調べた−非常に興味がある！彼女は、退職した出版経営者であり、１０，０００ドルまで投資のために用意している。Ｄａｖｅは、非常に興奮した−彼がしようとしていることをより良く理解し得る誰かがここにいる。彼は、フィードバックに対して彼女に謝辞を述べること、そして、投資がＮＹＣにおける彼の生活費および彼の健康保険をカバーすることを彼女に知らせること、さらに、彼が改定された見出しをポスティングしていることを彼女に言うことを、彼女に返答する。
【０１３１】
彼は、追加サポート情報をクリックオンし、彼の最近の見だしを改定に置き換える。彼は、非常に興奮している。
【０１３２】
９ＡＭ  水曜日。Ｄａｖｅは、彼のマーケット会計をチェックする。−Ｊａｎｅ  Ｈａｕｐｔ−Ｗｏｌｆｆからのメッセージがある！彼女は、改定を読み、彼の変化を好んだ。−そして、彼女は、彼についてもう少しより多くを学びたいと思った。彼は、本について、彼の著作履歴のより詳細を付けてすぐに彼女に返答した。彼女もオンライン上で、実時間中のＢＢＳ前後にて、Ｋｎｏｐｆで出版したときの彼女の経験について少し彼に応じた。
【０１３３】
彼らのチャットの終わりに、彼女は、彼女が彼の申込を真剣に考えていることを彼に言う。−彼女は、還付についてそれ程関心があるわけではないが、彼女は、彼は作家として大きな潜在性を持っていると考えている。Ｄａｖｅは、あまりに興奮したので、彼は、自身を抑えることができない。彼は、彼女が決定を行うために必要とし得る任意のさらなる情報を供給することを申し出る。
【０１３４】
彼らは、彼らのチャットを終了する。Ｄａｖｅは、実際に喜びで飛び上がった。彼は、ちょっとの間、彼があまりに楽天的ではないかと考えるが、その後、前に進み、Ｊａｎｅ  Ｈａｕｐｔ−Ｗｏｌｆｆについての背景チェックを要求する。−彼は、この女性が現実であることを見出すことを望む。彼は、彼のクレジットカード番号を入力し、価値ある費用であると結論つける。
【０１３５】
次いで、彼は、メインページに戻り、彼が新しい潜在的な投資家を有することを記述し、彼のメッセージおよびプロファイルをチェックする。退職した医師がおり、彼は、自身がこの分野の投資家であると考えており、Ｄａｖｅの著作を好む。よし！Ｄａｖｅは、彼のメッセージに返答する。
【０１３６】
１１：４５ＡＭ  金曜日。Ｄａｖｅは、ログオンして、彼のメインページをチェックする。−Ｊａｎｅ  Ｈａｕｐｔ−Ｗｏｌｆｆが申し出を行っている！彼はその申し出をクリックオンして、分配ページを見る。−彼女は、７，０００ドルを彼に申し出ている！彼は、それを信じることができず、彼は、落ち着くように試みる必要がある。彼は、彼女がポスティングする条件を注意深く概観し、最良に応答する方法を決定することを試みる。当然、彼は、すぐに受け入れることを望むが、彼は、より専門的である必要がある。申し出に対して彼女に謝辞を述べ、彼はできるだけはやく応答することを彼女に言うメッセージをＪａｎｅ  Ｈａｕｐｔ−Ｗｏｌｆｆに彼が送る合間に背景チェックがすぐに戻されるべきである。
【０１３７】
９：３０ＡＭ  月曜日。Ｄａｖｅは、彼の定期的な電子メール会計をチェックする。−背景チェックが戻っている。Ｊａｎｅ  Ｈａｕｐｔ−Ｗｏｌｆｆは、現実の分配であり、彼女が彼女であると言った者は彼女であり、彼女は、確かに、彼女が所持する分配を与え得る。彼は、最終的な時間の申し出を概観し、次いで、それを受け入れる。彼は、彼のメインページに戻り、彼は、申し出について彼が受け入れることは何もないという、マーケットからのメッセージを有することを見る。ここで、彼が行うことができる全ては、待つことおよび見ることである。
【０１３８】
１０ＡＭ  水曜日。Ｄａｖｅは、２０回目のログオンして、Ｊａｎｅ  Ｈａｕｐｔ−Ｗｏｌｆｆとの彼の分配の状態をチェックする。−彼のメインページが変更されている！彼は、今、活性な投資家としての新しいテーブルリスト項目であるＪａｎｅ  Ｈａｕｐｔ−Ｗｏｌｆｆおよび、彼女の投資が彼の銀行に移行されたことを彼に通知するマーケットからのメッセージを見る。彼は、検証するために銀行に電話する。−驚く。彼は、すぐに、Ｊａｎｅ  Ｈａｕｐｔ−Ｗｏｌｆｆに、投資に対して彼女に謝辞を述べ、彼が資金調達の目的に近づくまで金銭をそのままにさせ移動させない彼の意図を再確認するメッセージを打つ。彼は、行く道を持っている！しかし、彼が２５，０００ドル近くを得た場合、彼は告示し、健康保険なしで行うことを彼は考える。その時に彼がしたいこと全ては、待つことである。
【０１３９】
Ｄａｖｅはまた、全部で３人の彼の他の潜在的な投資家からの新しいメッセージがあることに気付く。Ｊａｎｅ  Ｈａｕｐｔ−Ｗｏｌｆｆの投資は、未通知ではない！彼は、全３つに返答し、確かにイエスであるが、退職した出版経営者が彼に投資していることをそれらに知らせ、それらの応答を見るために待つ。
【０１４０】
例３
登録された投資家−投資前−Ｒｉｃｋ  Ｍｉｌｓｔｅｎ，５８
１０：３０ＡＭ  日曜日。Ｄｒ．Ｒｉｃｋ  Ｍｉｌｓｔｅｎは、彼の新しいマーケット会計（ちょうど先週開かれた）をチェックする。彼は、少し退屈していると、退職した楽しみを見つけ出している。彼が、彼の売り手監視リストを見ると、２人の大学学生が医療学校について助けを希望している。そのうちの一人は、Ｂｉｒｍｉｎｇｈａｍのアラバマ大学に受け入れられており、一人は、Ｊｏｈｎｓ  Ｈｏｐｋｉｎｇｓから聞くこと待っている（しかし、シカゴ大学に受け入れられている）。彼は、前向きなＵＡＢ学生からのメッセージを持ち、彼は、彼のプロファイルを更新し、それを概観するように彼を勧誘している。
【０１４１】
しかし、最初、Ｒｉｃｋは、売り手データベースを検索することを決める。彼は、彼の以前の業務である「泌尿器科」を入力し、その後、検索を洗練する（任意の貸付、医療学校、５，００１ドル〜１０，０００ドル投資）。彼は、成果が上がらずに終わる。残念であるが、当初は、泌尿器科に誰も興味を持たないようである。彼は、「泌尿器科」に対して「女性」を置換して、再度検索する。−業務に加えることができなければ、彼は、少なくとも彼自身の社会工学を行い得、加えて、彼が誰かに投資すれば、彼は、常時、泌尿器科に考慮することを奨励し得る。非常に良好な結果として、１０のプロファイルが概観される。彼は、スクロールし、場合によって売り手のプロファイルを見るためにクリックし、そして、再度、彼の検索結果をクリックする。
【０１４２】
それら全てを概観した後、彼は、彼の監視リストに２つを加える。一つは、ワシントン大学に行くことを計画する女の子であり、一つは、ＵＣＳＦに受け入れられたが、性と生殖に関する健康クリニックにおいて働く前に離れるのに１年を要した者である。彼は、その全てを見守ることにした。
【０１４３】
４：３０ＰＭ  月曜日。Ｄｒ．Ｍｉｌｓｔｅｎは、彼のゴルフゲームから戻り、彼の電子メールをチェックし、体操のクラスにいる孫の画像、および彼がマーケット組織において新しいメッセージを持つ電子メールを受信する。彼は、何がアップしているかを見るために彼の会計にログオンする。彼は、彼のＵＷの将来性は、４０の彼女のシェアを利用する投資家を手に入れることを書き留める。−彼女にとって良い。
【０１４４】
彼の監視リスト上に全４つの売り手からの新しいメッセージがある。２つは、彼の興味に対して彼に簡単に謝辞を述べているが、一つは、彼のＨｏｐｋｉｎｓへの受入を反映するようにプロファイルを再度更新し、ＵＣＳＦは、彼女は、セクシャリティに関する彼の本を読み、魅力的だったと言う。喜ばしい−おそらく、彼女は、将来の泌尿器科医であろう。彼は、今回は、全ての医療学校の売り手について再度素早く検索したが、彼の検索結果によって少し圧倒されるように感じる。
【０１４５】
彼は、すでにいくつかの投資家を持つ彼の検索結果における少数の明らかにホットな売り手上をクリックしたが、彼は、彼らはすでに有利な立場にいることを理解する。Ｄｒ．Ｍｉｌｓｔｅｎは、この種の投資は、医師の潜在的な稼ぎに与えられた比較的安全なものであり、間違いなく、彼の還付は最も大きな動機付け要因ではないと考える。彼は、彼がよく選択すれば、彼は、彼の投資を取り戻すこと、およびそのことは、彼にとって本当に必要なことであることを確信する。
【０１４６】
８：４５ＰＭ  火曜日。Ｒｉｃｋは、マーケットに２０，０００ドルの投資を行うことを、夕食時に彼の妻であるＮａｎｃｙと議論した。彼女は、もう業務を行っていない弁護士であるが、未だにいくつかのコンサルティングワークを行っている。彼女は、それは、おもしろいコンセプトであると考え、１人の受取人または複数の受取人を選び出すために彼に勇気を与える。彼は、夕食後にログオンし、彼の監視リストを再評価する。誰が最も値打ちがあるか、および成功のために誰が最良の将来性を有するか？および彼は将来性の間で彼の投資を分離するか、または全てを１人に与えるか？このように多くの要因のため．．．彼は、彼の潜在性のプロファイルを概観し、ＵＷの投資家（ダラスの弁護士）のプロファイルを調べる。Ｒｉｃｋは、何がこの個人を魅力的な投資にするのかという質問するメッセージをポスティングする。
【０１４７】
彼は、次いで、彼女が専門教育生のときに仕事場にいるごく少量の時間を有する場合、彼のＵＣＳＦ有力候補に、彼女がクリニックで働くために１年間彼女の入学を遅らせることを決める理由を尋ねるメッセージを送る。彼女もまたオンライン上にあり、すぐに返答し、彼女は財政を含め多くの理由を有するが、このような困難で費用のかかる教育に着手する前に彼女のキャリア選択について確かめることもしたいことを言う。彼らは、メッセージを往復させ、そして、彼女は、性と生殖に関する健康において働いている間に彼女が学んだこと、彼女がＯｂ／Ｇｙｎにいないことを決定した理由、および、彼女のために調達したＤｒ．Ｍｉｌｓｔｅｎの本に関する疑問のいくつかについて詳しく述べる。彼は、交換に大いに満足を感じる。−彼女は、はっきりものが言える若い女性である。
【０１４８】
１２：３０ＰＭ  水曜日。Ｒｉｃｋは、それについて一晩寝てから結論を出し、２、３の決定を下した。；それは、彼は労働人口に入るより能力のある女性医師の必要があるように感じるので、明確に、投資するための女性の売り手を探しにいくころ、そして、さらに、彼は、１より多くの受取人を見つけることである。それの全てを一人の学生に投入し、大きな衝撃を与えることを知り、彼らの感謝を楽しむことは魅力的であるが、彼の投資をいくつかの有力候補間に広げることがより賢明である理由が必然的に決まる。
【０１４９】
彼は、彼のメッセージをチェックするためにログオンし、そして、見込みのあるワシントン大学学生に投資した弁護士であるＤａｎ  Ｍｅｌｍａｎから返答がある。ｍｅｌｍａｎは、彼はマーケット組織上で６人の学生／医師に投資し、そして、彼は、彼らの学部の成績、トップの医療学校に明らかに受入られたこと、彼らが説明する実行意図、および当然彼らの背景チェックにしたがって彼らを綿密に調べることを言う。彼は、２人の医師の稼ぎについての還付をすでに確認していること、および彼は金になる専門性（ＵＷの場合、皮膚科）に興味を説明する個人にのみ投資することを言う。彼は、ＵＷは、優れた候補であり、彼女の目標について非常に安定で明確であると思う。
【０１５０】
Ｒｉｃｋは、２人の売り手（ＵＷおよびＵＣＳＦ）についての背景チェックを要求する。次いで、彼は、そこから偉大な誰か見落とすかもしれないと心配し、女性医療学生に対する新しい売り手の検索を行う。この時、彼は、それぞれが有するシェア保持投資家の数に相当興味を持つ。彼は、彼の監視リストに２人の新しい候補を加え、女性でないのでＵＡＢおよびＪｏｎｅｓ  Ｈｏｐｋｉｎｓを除く。彼に起こることは、彼が、長年にわたって集めた、非常に不潔な泌尿器科のジョークの全てに女性の受取人を受けさせることがおそらくできないことである。
【０１５１】
３：３０ＰＭ  金曜日。多忙な２、３日を過ごし、Ｄｒ．Ｍｉｌｓｔｅｎは、彼の電子メールをチェックし、彼の有力候補の両方に関する背景チェックを受け取る。彼ら双方は、調べる。彼はまた、マーケット組織におけるメッセージを彼に通知する電子メールを有し、状況をチェックするためにログオンする。彼は、ワシントン大学が彼女のシェアの全てを売ることをすぐに実現する。−彼女がまだ学校に入っていない場合に彼女のシェア保持グループから買おうとすることは論理的にはみえない！ＵＣＳＦはまた、彼女のシェアの半分を売る−彼は、彼が興味を持っているかを判断し、彼は、彼女に申し出を行うことをよく考えたほうがよい。彼が行ったのは、１０，０００ドルに対してである。次いで、彼は、監視リストの残りの状態を調べる。
【０１５２】
１２ＰＭ  木曜日。１週間後、Ｄｒ．Ｍｉｌｓｔｅｎは、ＵＣＳＦについての分配を閉じ、ｈａｒｖａｒｄ  Ｍｅｄに行くホットな有力候補に別の申し出を行った。彼はまた、彼女に何が起こったのかをただ見るために、ＵＷを見守っている。
【０１５３】
例４
受取人−Ｃｈｅｒｙｌ  Ｃｏｗｅｌｌ，２９
３：３０ＡＭ  木曜日。Ｃｈｅｒｙｌ  Ｃｏｗｅｌｌは、マーケット組織での彼女の受取人会計に活気を有する電子メールを受け取る。彼女は、Ｈｏｎｇ  Ｋｏｎｇにおいて主要な取引を完成させるために長年働いており、そのため、彼女は、休暇を取り、何が上がっているのかを調べることを決め、加えて、彼女は、彼女のプロファイルに加えるべき新しい情報を持った。−Ｂｌａｃｋ  Ｅｎｔｅｒｐｒｉｓｅからの彼女についての記事およびＢｕｓｉｎｅｓｓ２．０における彼女自身の記事である。彼女は、彼女の投資家に関して何が進んでいるかチェックするためにログオンする。−彼女は、Ｈａｒｖａｒｄ  Ｂｕｓｉｎｅｓｓ  Ｓｃｈｏｏｌを出て２年であり、彼女は、わずかな金額を払う必要はなく、彼女の授業料は、完全に資金供給されている。
【０１５４】
彼女は、Ｒｏｂｅｒｔ  Ｊｏｈｎｓｏｎが、彼女の筆頭投資家であるＩｒｖｉｎｇ  Ｇｅｓｚｅｌからの彼女のシェアの３０を驚くべき膨大な価格で買うことを申し出ることを彼女に通知するメッセージを見る。彼女は、彼女の潜在的な新しい投資家のプロファイルをクリックして、分配はどうなっているのかを見る。驚愕！それは、Ｒｏｂｅｒｔ  Ｊｏｈｎｓｏｎである。悪くはない。
【０１５５】
Ｃｈｅｒｙｌは、少し涙ぐむ。彼女は、確かに、最終的には彼女のシェアを買い戻すことを計画し、そして、彼女は、彼女の正味の価値があまりに増加し、長期の投資として彼女をずっと魅力的にする前に彼女がそうすることを理解する！しかし、彼女は、Ｊｏｂｅｒｔ  Ｊｏｈｎｓｏｎのような投資家が彼女に興味を持つ場合に彼より高値を付けようとすることはばかげたことであると思う。−注意を引く策略を除き。いや、彼女が投資家としてアップするものについてのループに彼を維持するほうが良い！彼女は、入札に対応しないことを決める。
【０１５６】
彼女は、ＢＢＳにメッセージをポスティングし、彼ら双方が彼女の更新されたプロファイルを調べることを提案する。彼女はまた、彼女がビジネスで取り組んでいるアイデアが公共の目になる準備がほぼできていることを彼女のメッセージにおいてほのめかす。Ｃｈｅｒｙｌは、彼女ができるだけ発動したい独自の無線用途についてビジネスプランを展開し、資金調達を求めるための最良の場所はどこかを熟考している。彼女はマーケット組織上の金銭を引き上げることができるとおおいに確信しており、彼女は、潜在的に個人の責任がより少ない、投資家およびその関係者のプールからそれを引き上げることができると同じく確信している。
【０１５７】
疲労困憊したので、Ｃｈｅｒｙｌは、ログオフし、床に着いた。
【０１５８】
例５
シェア保持投資家−Ｉｒｖｉｎｇ  Ｇｅｓｚｅｌ，６２
６：３０ＰＭ  月曜日。Ｉｒｖｉｎｇ  Ｇｅｓｚｅｌは、彼の投資家についてチェックするために彼のマーケット組織会計にログオンする。Ｉｒｖｉｎｇは、非常勤金融アナリストであり、３５年間、Ｂｅａｒ  Ｓｔｒｅａｍで働いた。彼は、彼のメインページを調べると、８人の受取人のシェア保持グループおよび１５人の売り手が彼の監視リストにいる。彼は、彼の投資家について彼に申し出を行う潜在的な投資家からの非常に少ない新しいメッセージと、当然、彼のリストからの多数のメッセージとを有する。Ｉｒｖｉｎｇは、鋭い目つきで彼のリストを見、彼がおもしろいとしてマークを付けた個人周囲には新しい活動はまったくなかった。
【０１５９】
彼は、すこし知っているＲｏｂｅｒｔ  Ｊｏｈｎｓｏｎから入札を有することを見る。Ｊｏｈｎｓｏｎは、Ｉｒｖｉｎｇの早期の投資の一つである、非常に明るい若い女性であり、成功が決定され、伝統的な方法に耐え切れないＣｈｅｒｙｌ  Ｃｏｗｅｌｌに興味をもつ。Ｉｒｖｉｎｇは、彼女は優秀な長期的な投資であるが、彼女自身の方法で全てを行うことを主張する何か性急な人でもあると思う。価格についてＪｏｈｎｓｏｎは、彼が考慮を進めていることを申し出ており、彼は、Ｃｏｗｅｌｌにおける彼のシェアの半分を未だに保持し、彼は、数年の間に彼女は本当の大きな金を稼ぎ始めることを信じない。彼は、Ｊｏｈｎｓｏｎに返答し、彼に彼の入札を割増しするように頼む。
【０１６０】
次いで、彼は、彼の受取人の全てについてチェックし、ポスティングされた任意の新しい情報をチェックし、そして、彼の還付をチェックする。彼が投資した弁護士の２人は、すでに確かに清算し、彼らは、企業の訴訟および不動産法においてそれぞれ働く。彼はまた、彼の監視リストの３人に関する背景チェックを要求し、彼がすでに３つのシェアを保持する受取人に申し出を行う。そのキッドはゴミを片付ける人で、彼の授業料のために１０，０００ドル超を必要とするだけである。
【０１６１】
ログオフする前に、Ｉｒｖｉｎｇは、迅速な売り手検索を行う。「Ｈａｒｖａｒｄ」、「Ｙａｌｅ」、「Ｓｔａｎｆｏｒｄ」および「医療学校」は、彼の最も一般的なキーワードであるが、彼は、「独自性」、「技術」、「生物工学」およいくつかの頻度を有するその他少しも使用する。彼は、一番最良と彼が考えるものに投資するだけであり、Ｉｒｖｉｎｇには慈善の場合はない。彼は、マーケット組織に愛着があり、計算されかつ実入りがよいリスクを回避した後、彼は、大いに魅力のある新しい投資の道を見出す。彼は、彼の監視リスト数人の売り手を加える。
【０１６２】
１１：３０ＡＭ  火曜日。Ｉｒｖｉｎｇは、マーケットにおいてチャックし直す。−Ｃｈｅｒｙ  ＣｏｗｅｌｌについてＲｏｂｅｒｔ  Ｊｏｈｎｓｏｎから新しいメッセージがある。−彼は、彼の申し出の魅力を高める。彼はＩｒｖｉｎｇについて何か知っているだろうか？Ｃｈｅｒｙｌ自身からのメッセージもあり、彼女は彼女のプロファイルを新しい情報に更新したと言っており、新しいビジネスの計画についてほのめかしている。彼女およびＪｏｈｎｓｏｎは、オフラインで何か行っているのか？
それについて熟考した後、Ｉｒｖｉｎｇは、Ｊｏｈｎｓｏｎに売らないことを決める。彼に、Ｃｈｅｒｙｌのシェア保持グループにおける他の２人への申し出を行わせ、Ｉｒｖｉｎｇは、彼の主要な掛け金を維持する。Ｊｏｈｎｓｏｎが彼女に興味があれば、理由は理解できる。彼は、入札を辞退する。
【０１６３】
彼は、彼の売り手監視リストを再度スクロールし、メッセージに応え、それらのプロファイルおよびドキュメントを調べる。彼が再調査したい一人の若い男性の用途におけるビジネス計画があり、おもしろいことに、彼は、注目する映画脚本家を選択した。彼は、ＬＡにいる彼の息子に読ませようとして台本を与えようとしているが、Ｍｉｋｅがそれを好むのであれば、誰が知ってるだろうか？多分、おもしろい新しい投資になる．．．決して知られていない。
【０１６４】
上記記載の実施形態の観点で本発明を提示させたが、種々の変更、改変および改良が本発明の範囲および意図内であるように意図される。上述の記載は、例示のみを目的とし、制限するようには意図されない。本発明の制限は、添付の請求の範囲およびその均等物においてのみ規定される。
【図面の簡単な説明】
【０１６５】
【図１】図１は、本発明の実施形態にしたがう方法を行うためのシステムの概観図である。
【図２】図２は、本発明の実施形態にしたがうオンラインマーケットを用いて登録するための例示的なプロセスを示すフローチャートである。
【図３】図３は、本発明の実施形態にしたがう、潜在的な投資家が資金調達する潜在的な申込者を探すための例示的なプロセス示すフローチャートである。
【図４】図４は、本発明の実施形態にしたがう、潜在的な投資家が申込者に資金調達する提示を出す例示的なプロセスを示すフローチャートである。
【図５】図５は、本発明の実施形態にしたがう、申込者が潜在的な投資家からの提示を受け入れる例示的なプロセスを示すフローチャートである。
【図６】図６は、本発明の実施形態にしたがう、最初の投資家を背景検索に導くための例示的なプロセスを示すフローチャートである。
【図７】図７は、本発明の実施形態にしたがう、潜在的な投資家が申込者を背景検索に導くための例示的なプロセスを示すフローチャートである。
【図８】図８は、本発明の実施形態にしたがう、申込者が潜在的な投資家を背景検索に導くための例示的なプロセスを示すフローチャートである。
【図９】図９は、本発明の実施形態にしたがう、潜在的な投資家が申込者に資金調達する例示的な取引形成プロセスを示すフローチャートである。
【図１０】図１０は、本発明の実施形態にしたがう、潜在的な投資家と受取人との間の例示的な取引形成プロセスを示すフローチャートである。
【図１１】図１１は、本発明の実施形態にしたがう、潜在的な投資家と受取人との間の例示的な取引形成プロセスを示すフローチャートであり、受取人は、潜在的投資家とシェア保持投資家との間の取引を無効にする。
【図１２】図１２は、本発明の実施形態にしたがう、潜在的な投資家とシェア保持投資家との間の例示的な取引形成プロセスを示すフローチャートである。
【図１３】図１３は、本発明の実施形態にしたがう、シェア保持投資家と受取人との間の例示的な取引形成プロセスを示すフローチャートであり、受取人は、潜在的な投資家の買い提示を無効にする。
【図１４】図１４は、本発明の実施形態にしたがう、シェア保持投資家と受取人との間の例示的な取引形成プロセスを示すフローチャートである。
【図１５】図１５は、本発明の一実施形態にしたがう、受取人からシェア保持投資家への支払いの例示的なプロセスを示すフローチャートであり、収益は、受取人の収入の割合に基づいている。
【図１６】図１６は、本発明の一実施形態にしたがう、受取人からシェア保持投資家への支払いの例示的なプロセスを示すフローチャートであり、収益は、固定される。
【図１】
2004536375.tif 000003
【図２】
2004536375.tif 000004
【図３】
2004536375.tif 000005
【図４】
2004536375.tif 000006
【図５】
2004536375.tif 000007
【図６】
2004536375.tif 000008
【図７】
2004536375.tif 000009
【図８】
2004536375.tif 000010
【図９】
2004536375.tif 000011
【図１０】
2004536375.tif 000012
【図１１】
2004536375.tif 000013
【図１２】
2004536375.tif 000014
【図１３】
2004536375.tif 000015
【図１４】
2004536375.tif 000016
【図１５】
2004536375.tif 000017
【図１６】
2004536375.tif 000018
【国際公開パンフレット】
2004536375.tif 000019
2004536375.tif 000020
2004536375.tif 000021
2004536375.tif 000022
2004536375.tif 000023
2004536375.tif 000024
2004536375.tif 000025
2004536375.tif 000026
2004536375.tif 000027
2004536375.tif 000028
2004536375.tif 000029
2004536375.tif 000030
2004536375.tif 000031
2004536375.tif 000032
2004536375.tif 000033
2004536375.tif 000034
2004536375.tif 000035
2004536375.tif 000036
2004536375.tif 000037
2004536375.tif 000038
2004536375.tif 000039
2004536375.tif 000040
2004536375.tif 000041
2004536375.tif 000042
2004536375.tif 000043
2004536375.tif 000044
2004536375.tif 000045
2004536375.tif 000046
2004536375.tif 000047
2004536375.tif 000048
2004536375.tif 000049
2004536375.tif 000050
2004536375.tif 000051
2004536375.tif 000052
2004536375.tif 000053
2004536375.tif 000054
2004536375.tif 000055
2004536375.tif 000056
2004536375.tif 000057
2004536375.tif 000058
2004536375.tif 000059
2004536375.tif 000060
2004536375.tif 000061
2004536375.tif 000062
2004536375.tif 000063
2004536375.tif 000064
2004536375.tif 000065
2004536375.tif 000066
2004536375.tif 000067
2004536375.tif 000068
2004536375.tif 000069
2004536375.tif 000070
2004536375.tif 000071
2004536375.tif 000072
2004536375.tif 000073
2004536375.tif 000074
2004536375.tif 000075
2004536375.tif 000076
2004536375.tif 000077
【国際公開パンフレット（コレクトバージョン）】
2004536375.tif 000078
2004536375.tif 000079
【国際公開パンフレット（コレクトバージョン）】
2004536375.tif 000080
2004536375.tif 000081
【国際調査報告】
2004536375.tif 000082
2004536375.tif 000083